(57)【特許請求の範囲】
【請求項１】
インターネットを介して個人情報管理支援応用ソフトを利用会員に提供し、利用会員から入力された個人予定データを受信して該利用会員によりアクセスされる個人予定表データベースに記録すると共に、前記利用会員の個人予定表データベースを呼出して該利用会員の時間及び位置情報に関連する情報データを当該利用会員に配信する業務サービスコンピュータと、
インターネットを介して前記業務サービスコンピュータと情報の授受を行う前記利用会員のインターネット対応のクライアント端末と、から少なくとも構成され、
前記業務サービスコンピュータは、
前記利用会員のクライアント端末からの情報配信サービス提供の契約依頼に応答し、少なくとも該利用会員の連絡先Ｅメールアドレスを含むデータ入力Ｗｅｂ画面を送信して契約事項を入力させ、該データ入力Ｗｅｂ画面で入力されたデータを受信して利用会員データベースに当該情報配信契約データを付記し更新する契約登録手段と、
契約会員となった前記利用会員の個人予定表を所定時刻毎に前記個人予定表データベースより呼出して契約会員予定表データベースに書込み更新する予定表登録手段と、
前記契約会員予定表データベースに登録された前記契約会員毎の予定表より居住地、勤務地、出張・出先地、目的駅、乗換駅、空港、予定業務毎開始・終了時刻、待合せ時刻のいずれかを含む時間位置情報を抽出し、前記契約会員の移動経路、交通移動手段、所要時間、宿泊施設、経費を少なくとも含む予定情報を選択させるメニューＷｅｂ画面を当該契約会員のクライアント端末に配信する予定情報配信手段と、
抽出した前記時間位置情報より現在時刻における前記契約会員の居場所又は地域を特定或いは推定し、該特定或いは推定した位置付近の地図情報図面、住所検索・経路検索ソフトを少なくとも含む現在情報を選択させるメニューＷｅｂ画面を当該契約会員のクライアント端末に配信する現在情報配信手段と、を少なくとも備え、
前記業務サービスコンピュータは、前記契約会員が前記個人予定表にデータ入力、データ検索、又はデータ確認を行う際に、前記予定情報配信手段及び現在情報配信手段を遂行することを特徴とする個人予定表連動の情報配信サービスシステム。
【請求項２】
前記業務サービスコンピュータは、抽出した前記時間位置情報と、前記契約会員が前記予定表に記入した通勤、招待又は接待、出張又は私的旅行のいずれかを含む移動目的情報とにより、前記契約会員が予め必要或は興味があると判断した情報提供企業からのメール形式情報と、少なくとも会社、役所、学校、銀行、郵便局、料理店、販売店、デパート、駅のいずれかに関する経路探索・住所検索ソフト、地図情報を提供する各情報提供企業を選択させるメニューＷｅｂ画面を当該契約会員のクライアント端末に配信するサポート情報配信手段を更に備えることを特徴とする請求項１に記載の個人予定表連動の情報配信サービスシステム。
【請求項３】
前記業務サービスコンピュータは、
前記契約会員予定表データベースから過去の行動履歴を検索して行動パターン及び行動地域を含む行動類型に分類し、当該契約会員の行動類型に応じて予め関連付けられた情報データを当該契約会員のクライアント端末に配信する行動類型情報配信手段と、
行動類型の分類統計を情報提供企業又は行動類型の調査希望企業・団体に提供する行動類型統計手段と、を更に備えることを特徴とする請求項１又は２に記載の個人予定表連動の情報配信サービスシステム。
【請求項４】
前記利用会員のインターネット対応のクライアント端末は、Ｗｅｂブラウザを備えたパソコン、インターネット対応の携帯無線電話機、ＧＰＳ（全地球位置計測システム）を搭載したインターネット対応携帯端末又は自動車搭載コンピュータ端末、インターネット対応モバイルゲーム機、或いは携帯デジタル通信無線端末のいずれかを少なくとも含むことを特徴とする請求項１乃至３のいずれかに記載の個人予定表連動の情報配信サービスシステム。
【請求項５】
前記利用会員のインターネット対応のクライアント端末がＧＰＳを搭載したインターネット対応携帯端末である場合に、前記業務サービスコンピュータは、
前記携帯端末から前記予定表へのデータ入力、データ検索、又はデータ確認のためにアクセスされた際に、ＧＰＳによって取得された該携帯端末の現在の位置情報を受信し、前記契約会員予定表データベースの位置情報と現在の位置情報とを比較して異なっていれば該契約会員予定表データベースを補正し、
前記現在情報配信手段は、補正された現在の位置情報に基づいて配信する第１の補正手段を備えることを特徴とする請求項１又は２に記載の個人予定表連動の情報配信サービスシステム。
【請求項６】
前記利用会員のインターネット対応のクライアント端末が無線ネットワークを経由するインターネット対応の携帯無線電話機である場合に、前記業務サービスコンピュータは、
前記携帯無線電話機から前記予定表へのデータ入力、データ検索、又はデータ確認のためにアクセスされた際に、経由した前記無線ネットワークの携帯無線基地局の場所又は地区に基づき取得された該携帯無線電話機の現在の居場所又は地区情報を受信し、前記契約会員予定表データベースの位置情報と現在の居場所又は地区情報とを比較して異なっていれば、該契約会員予定表データベースを補正し、
前記現在情報配信手段は、補正された現在の居場所又は地区情報に基づいて配信する第２の補正手段を備えることを特徴とする請求項１又は２に記載の個人予定表連動の情報配信サービスシステム。
【請求項７】
前記情報データは、インターネットを介して配信可能なテキスト、静止画像、動画像、音声、リンク動作のいずれかの作用を行うプログラムを含むデータであって、前記各情報提供企業が前記業務サービスコンピュータを保有する情報配信サービス事業者に配信を委託した広告を含むことを特徴とする請求項２に記載の個人予定表連動の情報配信サービスシステム。
【請求項８】
前記個人情報管理支援用ソフト及び前記個人予定表データベースの一部又は全部が前記クライアント端末に備えられ、
前記業務サービスコンピュータは、前記契約会員のクライアント端末からアクセスされた任意の時刻に前記予定表登録手段により前記契約会員予定表データベースに書込み更新することを特徴とする請求項１に記載の個人予定表連動の情報配信サービスシステム。
【発明の詳細な説明】
【０００１】
【発明の属する技術分野】
本発明は、インターネットを介した情報配信サービスシステムであって、詳しくは個人情報管理支援システムに記録された個人予定表に連動して行動予定、時間、場所を判断し利用者個人に適切な情報配信サービスを行うシステムに関する。
【０００２】
【従来の技術】
インターネットを介して利用者のクライアント端末に情報を配信するサービスとして企業団体のバナー広告や、利用者個人が興味のある分野・事項を申告してメールにより情報配信を受けるオプトインメールなどが利用されている。前者のバナー広告は、利用者がクリックすることにより企業団体のホームページにアクセスさせる方法であり、後者のオプトインメールは、利用者個人属性にあわせた必要と思われる最新情報を適宜メールで配信される。このため、情報配信を希望する企業団体にとっても適切な広告宣伝が可能で、利用者にとっても個人属性に応じた情報を入手することができる。
【０００３】
従来のオプトインメールでは、個人属性としての居住地住所、勤務先住所などの場所に関するセグメント化で配信される情報は、居住地、勤務地の近所の情報に限られてしまう。現実には、居住地の情報は新聞折込み広告や、郵便ポストの投込み広告などで最新情報を入手している場合が多い。また、利用したい商店、飲食店などについても居住地や勤務地付近は熟知しており、生活、業務の両面でその日ごとの外出先やその経路付近の場所に関連する情報を必要としている。しかしながら、前述した行動に伴う場所、言い換えると時間とその位置情報というセグメント化で選択された情報配信はなされていなかった。
【０００４】
また、従来携帯情報端末やスタンドアロンパソコンでは個人予定表管理やアドレス管理などを含む個人情報管理支援（ＰＩＭ）アプリケーションソフトが手書きのシステム手帳にかわって多く利用されている。また、この個人情報管理支援（ＰＩＭ）アプリケーションソフトをインターネットを介してクライアント端末に提供するサービスがなされている。個人情報管理支援ソフトを提供するアプリケーションサービスプロバイダーは、利用会員の個人予定情報データベースを記録している。このため、利用者の予定から、目的の場所、時間、目的、移動経路などの「時間−位置情報」を過去、現在、近い将来に亘り把握することができる。しかし、前記情報配信サービスの適切な情報提供の選択には利用されていなかった。
【０００５】
また、インターネット対応の携帯電話機を始めとする携帯クライアント端末では、無線通信装置等で送受信範囲の位置情報を把握することによりおおよその現在位置（地区）が特定できる。また、ＧＰＳ（全地球位置計測システム）を塔載した携帯クライアント端末や、インターネット対応の自動車塔載ＧＰＳ装置によれば走行中の現在位置情報を把握し、情報配信サービスサイトのサーバに現在位置の情報を送信することができる。これらの利用者の現在位置情報により選択された情報の配信は行われているが、それらの位置情報の過去の履歴や移動情報や経路情報から求めた行動パターンに連動した情報配信は行われていなかった。
【０００６】
【発明が解決しようとする課題】
本発明は、前述の問題に鑑み、インターネットを介した個人情報管理支援システムに記録された個人予定記録に連動して行動予定、時間、場所を判断し利用者個人に適切な情報配信サービスを行う個人予定表連動の情報配信サービスシステムの提供を目的とする。さらに、携帯通信端末または携帯ＧＰＳ端末と連動し現在位置を判断して適切な情報配信サービスを提供する個人予定表連動の情報配信サービスシステムの提供を目的とする。
【０００７】
【課題を解決するための手段】
前記課題を解決するため本発明の個人予定表連動の情報配信サービスシステムは、インターネットを介して個人情報管理支援応用ソフトを利用会員に提供し、利用会員から入力された個人予定データを受信して該利用会員によりアクセスされる個人予定表データベースに記録すると共に、前記利用会員の個人予定表データベースを呼出して該利用会員の時間及び位置情報に関連する情報データを当該利用会員に配信する業務サービスコンピュータと、インターネットを介して前記業務サービスコンピュータと情報の授受を行う前記利用会員のインターネット対応のクライアント端末と、から少なくとも構成され、
前記業務サービスコンピュータは、前記利用会員のクライアント端末からの情報配信サービス提供の契約依頼に応答し、少なくとも該利用会員の連絡先Ｅメールアドレスを含むデータ入力Ｗｅｂ画面を送信して契約事項を入力させ、該データ入力Ｗｅｂ画面で入力されたデータを受信して利用会員データベースに当該情報配信契約データを付記し更新する契約登録手段と、契約会員となった前記利用会員の個人予定表を所定時刻毎に前記個人予定表データベースより呼出して契約会員予定表データベースに書込み更新する予定表登録手段と、前記契約会員予定表データベースに登録された前記契約会員毎の予定表より居住地、勤務地、出張・出先地、目的駅、乗換駅、空港、予定業務毎開始・終了時刻、待合せ時刻のいずれかを含む時間位置情報を抽出し、前記契約会員の移動経路、交通移動手段、所要時間、宿泊施設、経費を少なくとも含む予定情報を選択させるメニューＷｅｂ画面を当該契約会員のクライアント端末に配信する予定情報配信手段と、抽出した前記時間位置情報より現在時刻における前記契約会員の居場所又は地域を特定或いは推定し、該特定或いは推定した位置付近の地図情報図面、住所検索・経路検索ソフトを少なくとも含む現在情報を選択させるメニューＷｅｂ画面を当該契約会員のクライアント端末に配信する現在情報配信手段と、を少なくとも備え、前記業務サービスコンピュータは、前記契約会員が前記個人予定表にデータ入力、データ検索、又はデータ確認を行う際に、前記予定情報配信手段及び現在情報配信手段を遂行することを特徴とする。
【０００９】
また、前記業務サービスコンピュータは、抽出した前記時間位置情報と、前記契約会員が前記予定表に記入した通勤、招待又は接待、出張又は私的旅行のいずれかを含む移動目的情報とにより、前記契約会員が予め必要或は興味があると判断した情報提供企業からのメール形式情報と、少なくとも会社、役所、学校、銀行、郵便局、料理店、販売店、デパート、駅のいずれかに関する経路探索・住所検索ソフト、地図情報を提供する各情報提供企業を選択させるメニューＷｅｂ画面を当該契約会員のクライアント端末に配信するサポート情報配信手段を更に備えることを特徴とする。
【００１０】
また、前記業務サービスコンピュータは、前記契約会員予定表データベースから過去の行動履歴を検索して行動パターン及び行動地域を含む行動類型に分類し、当該契約会員の行動類型に応じて予め関連付けられた情報データを当該契約会員のクライアント端末に配信する行動類型情報配信手段と、
行動類型の分類統計を情報提供企業又は行動類型の調査希望企業・団体に提供する行動類型統計手段と、を更に備えることを特徴とする。
【００１１】
また、前記利用会員のインターネット対応のクライアント端末は、Ｗｅｂブラウザを備えたパソコン、インターネット対応の携帯無線電話機、ＧＰＳ（全地球位置計測システム）を搭載したインターネット対応携帯端末又は自動車搭載コンピュータ端末、インターネット対応モバイルゲーム機、或いは携帯デジタル通信無線端末のいずれかを少なくとも含むことを特徴とする。
【００１２】
また、前記利用会員のインターネット対応のクライアント端末がＧＰＳを搭載したインターネット対応携帯端末である場合に、前記業務サービスコンピュータは、前記携帯端末から前記予定表へのデータ入力、データ検索、又はデータ確認のためにアクセスされた際に、ＧＰＳによって取得された該携帯端末の現在の位置情報を受信し、前記契約会員予定表データベースの位置情報と現在の位置情報とを比較して異なっていれば該契約会員予定表データベースを補正し、前記現在情報配信手段は、補正された現在の位置情報に基づいて配信する第１の補正手段を備えることを特徴とする。
【００１３】
また、前記利用会員のインターネット対応のクライアント端末が無線ネットワークを経由するインターネット対応の携帯無線電話機である場合に、前記業務サービスコンピュータは、前記携帯無線電話機から前記予定表へのデータ入力、データ検索、又はデータ確認のためにアクセスされた際に、経由した前記無線ネットワークの携帯無線基地局の場所又は地区に基づき取得された該携帯無線電話機の現在の居場所又は地区情報を受信し、前記契約会員予定表データベースの位置情報と現在の居場所又は地区情報とを比較して異なっていれば、該契約会員予定表データベースを補正し、前記現在情報配信手段は、補正された現在の居場所又は地区情報に基づいて配信する第２の補正手段を備えることを特徴とする。
【００１４】
また、前記情報データは、インターネットを介して配信可能なテキスト、静止画像、動画像、音声、リンク動作のいずれかの作用を行うプログラムを含むデータであって、前記各情報提供企業が前記業務サービスコンピュータを保有する情報配信サービス事業者に配信を委託した広告を含むことを特徴とする。
【００１５】
また、前記個人情報管理支援用ソフト及び前記個人予定表データベースの一部又は全部が前記クライアント端末に備えられ、前記業務サービスコンピュータは、前記契約会員のクライアント端末からアクセスされた任意の時刻に前記予定表登録手段により前記契約会員予定表データベースに書込み更新することを特徴とする。
【００１６】
【発明の実施の形態】
本発明の個人予定表連動の情報配信サービスシステムの実施の形態について以下図に基づいて説明する。
【００１７】
図１は本発明の実施例である情報配信サービスシステム１００の構成図を示す。
【００１８】
ここで、１０は情報配信サービス事業者の業務サービスコンピュータであり、この業務サービスコンピュータ１０は以下のような業務を行う。
【００１９】
すなわち、個人情報管理支援応用ソフト１３ｘをインターネット２０を介して利用会員に提供し、その利用会員のクライアント端末３０で入力したデータを受信し、その利用者がいつでもアクセスできるように個人予定表データベース１４ｘに記録して管理する第１の業務と共に、その利用会員の希望者と契約し、当該契約利用会員の個人予定表データベース１４ｘを呼出し、少なくともその会員の行動を伴う場所である時間とその位置情報に基づいて必要或は参考となる情報データをタイミングに合った時刻にその契約利用会員に配信する第２の業務の２つの業務を行う。
【００２０】
２０はインターネット回線、３０は前記業務サービスコンピュータ１０とインターネット２０を介して交信する契約利用会員のインターネット対応のクライアント端末である。
【００２１】
なお、クライアント端末３０は、Ｗｅｂブラウザを備えたパソコン３０Ａ、インターネット対応の携帯無線電話機３０Ｂ、ＧＰＳを搭載したインターネット対応携帯又は自動車搭載コンピュータ端末３０Ｃ，３０Ｄ、携帯デジタル通信無線端末３０Ｅ、インターネット対応モバイルゲーム機３０Ｆなどを含む。
【００２２】
次に、前記業務サービスコンピュータ１０についての構成の一実施例を以下詳細に説明する。
【００２３】
１１はファイアウォール、１３はＷｅｂサーバ、１５はデータベース装置１４を管理するデータベースサーバ、１６は業務処理端末、１２はＬＡＮを示す。
【００２４】
Ｗｅｂサーバ１３及びデータベース装置１４の詳細は図２に示してある。
【００２５】
データベース装置１４は、少なくとも前記第１の業務のための利用会員データベース１４ａと個人予定表データベース１４ｘがあり、また、前記第２の業務のための情報配信の契約利用会員は本実施例では利用会員データベース１４ａに付記するようにしたが、別に契約利用会員だけのデータベースを作成するようにしてもよい。１４ｂは第２の業務のための契約会員予定表データベースであり、データベース１４ａから転記したものである。
【００２６】
Ｗｅｂサーバ１３は、第１の業務のための個人情報管理支援応用ソフト１３ｘを備えている。利用したい者はクライアント端末３０からインターネット２０を介して業務サービスコンピュータ１０にアクセスし第１の業務依頼を行い、所定の入力Ｗｅｂ画面を受けて入会の手続を行い利用会員データベース１４ａに登録され、利用会員はそのソフトを使用し、個人予定表データベース１４ｘに入力し、利用会員はいつでも、自分の予定表にアクセスし確認し、また追記、更新を行うことができる状態にある。
【００２７】
以上の状態で、業務サービスコンピュータ１０のＷｅｂサーバ１３が第２の業務である情報配信の業務依頼をクライアント端末３０から受けるため、手段１３ａ〜１３ｈを備える。また、情報提供企業４０または統計の調査希望企業にレポートを提供する手段１３ｉを備える。
【００２８】
契約登録手段１３ａは、利用会員のクライアント端末３０からの情報配信サービス提供の契約依頼に応答して少なくとも連絡先Ｅメールアドレスを含む入力Ｗｅｂ画面を送信し、契約事項を入力させて、そのデータを受信し、利用会員データベース１４ａにその情報配信契約データを付記更新する。
【００２９】
また、予定表登録手段１３ｂは、契約利用会員の個人予定表を所定時刻毎に個人予定表データベース１４ｘより呼出し、契約会員予定表データベース１４ｂへ書込み更新する。
【００３０】
また、予定情報配信手段１３ｃは、契約会員予定表データベース１４ｂに登録された各会員毎の予定表より現住所、居住地、会社などへの勤務地、出張先の会社・事務所・宿泊ホテル、待合駅、出発・終着駅、乗換駅、空港、予定業務毎開始・終了時刻、待合せ時刻などを含む時間位置情報を抽出して、会員が必要或は希望すると指定した移動経路、歩行、電車、新幹線、飛行機、自家用車、タクシー、バスなど交通移動手段、所要時間、宿泊施設、経費を少なくとも含む予想情報を選択できる各種項目のメニューＷｅｂ画面を配信する。
【００３１】
また、現在情報配信手段１３ｄは、抽出した前記時間位置情報より現在時刻における会員のいる場所或は地域を特定又は推定し、その位置付近の地図情報図面、住所検索ソフト、経路探索ソフトを少なくとも含む現在情報を選択できる各種項目のメニューＷｅｂ画面を配信する。
【００３２】
また、サポート情報配信手段１３ｅは、抽出した前記時間位置情報と、会員が前記予定表に記入した通勤、招待又は接待、出張又は私的旅行などを含む会員の移動目的情報とにより、会員にとって必要或は興味があると判断した情報提供企業からのメール形式情報と、少なくとも会社、役所、学校、銀行、郵便局、料理店、販売店、デパート、駅、スーパーストアなどに関する経路探索ソフト、住所検索ソフト、地図情報ソフトを提供する各種情報提供企業４０，４０Ａ，４０Ｂ，‥‥を選択できる各種項目のメニューＷｅｂ画面を配信する。
【００３３】
また、第１の補正手段１３ｆは、契約利用会員のインターネット対応のクライアント端末３０がＧＰＳ搭載のインターネット対応の携帯端末３０Ｃ或は自動車用端末３０Ｄである場合では、前記業務サービスコンピュータ１０のＷｅｂサーバ１３は、ＧＰＳによって取得された位置データをインターネット２０を介して受信できるようにして、そのクライアント端末３０Ｃ，３０Ｄが前記予定表へのデータ入力或はデータ検索のためアクセスした時に現在位置を受信し、契約会員予定表データベース１４ｂと現在位置を比較して異なっていれば、そのデータベース１４ｂを補正し、現在情報配信手段１３ｄはその補正した現在位置に基づいて現在情報配信業務を行う。
【００３４】
また、第２の補正手段１３ｇは、契約利用会員のインターネット対応のクライアント端末３０が無線ネットワークを経由するインターネット対応の携帯電話機３０Ｂ，３０Ｅ，３０Ｆである場合では、業務サービスコンピュータ１０は、経由した前記無線中継システム或はその基地局の場所或は地区をインターネット２０を介して受信できるようにして、そのクライアント端末３０が前記予定表へのデータ入力或はデータ検索のためアクセスした時に現在いる場所或は地区を受信し、契約会員予定表データベース１４ｂと現在場所或は地区を比較して現在場所と異なっていれば、そのデータベース１４ｂを補正し、現在情報配信手段１３ｄはその補正した現在場所或は地区に基づいて現在情報配信業務を行う。
【００３５】
また、行動類型情報配信手段１３ｈは、契約会員予定表データベース１４ｂから過去の行動履歴を検索し行動パターン、行動地域を含む行動類型に分類し、契約会員の行動類型に応じた必要或いは参考となる情報データを配信する。
【００３６】
また、行動類型統計手段１３ｉは、契約会員予定表データベース１４ｂから過去の行動履歴を検索し行動パターン、行動地域を含む行動類型に分類し、その分類統計を情報提供企業４０または行動類型の調査希望企業・団体に提供する。
【００３７】
なお、以上の端末３０へ送信した情報配信データは情報配信履歴データベース１４ｃへ記録され、そのデータベース１４ｃの内容は会員別と提供企業別の２通りの分類で保存され、会員別のデータは今後のその会員に対する報償ポイントに使用し、提供企業別のデータは提供企業に対する課金計算に使用する。
【００３８】
なお、情報配信データの具体例として、メール形式、地図形式を説明したが、前記情報配信データは、インターネットを介して配信可能なテキスト、静止画像、動画像、音声、リンク動作などの作用を行うプログラムを含むデータであって、前記各情報提供企業が前記情報配信サービス事業者に配信を委託した広告を含む。
【００３９】
次に、本発明の個人予定表連動の情報配信サービスシステム１００の動作の流れを図３〜図４に基づいて以下に説明する。
【００４０】
最初、個人情報管理支援応用ソフト１３ｘを情報配信サービス事業者の業務サービスコンピュータ１０より提供を受けている利用会員の端末３０よりインターネット２０を介して情報配信サービス提供の契約依頼に応答して契約用入力Ｗｅｂ画面を端末３０へ送信する（Ｓ３１）。
【００４１】
業務サービスコンピュータ１０は、その契約事項とＥメールアドレスを受信しデータを利用会員データベース１４ａに付記更新する（Ｓ３２）。
【００４２】
次に、コンピュータ１０は契約利用会員の個人予定表を所定時刻毎に個人予定表データベース１４ｘより呼出し、契約会員予定表データベース１４ｂへ書込み更新する（Ｓ３３）。
【００４３】
次に、コンピュータ１０は契約会員予定表データベース１４ｂに登録された各会員毎の予定表より時間位置情報を抽出する（Ｓ３４）。
【００４４】
次に、コンピュータ１０は抽出したデータより会員が必要或は希望すると指定した予想情報を選択できる各種項目のメニューＷｅｂ画面を端末３０へ配信する（Ｓ３５）。
【００４５】
コンピュータ１０はその選択信号を受信してその予想情報Ｗｅｂ画面を端末３０へ配信する（Ｓ３６）。
【００４６】
次に、コンピュータ１０はデータベース１４ｂで抽出した時間位置情報より現在時刻における会員のいる場所・地図を特定又は指定し、その位置付近の地図などの現在情報を選択できるメニューＷｅｂ画面を端末３０へ配信する（Ｓ３７）。
【００４７】
コンピュータ１０はその選択信号を受信して選択した現在情報のＷｅｂ画面を端末３０へ配信する（Ｓ３８）。
【００４８】
また、コンピュータ１０は、各ステップで随時データベース１４ｂで抽出した時間位置情報と会員が予定表に記入した移動目的情報とにより、会員にとって必要或は興味があると判断した情報提供企業からのメール形式情報と、目的先に関する経路探索ソフト、住所検索ソフト、地図情報ソフト等を提供する各種情報提供企業４０を選択できるメニューＷｅｂ画面を端末３０へ配信する（Ｓ４１）。
【００４９】
コンピュータ１０は、その選択信号を受信して、選択項目に該当する情報提供企業４０にアクセスしてその選択情報ソフトを端末３０へ配信する（Ｓ４２）。
【００５０】
また、コンピュータ１０は、前述各ステップで端末３０から前記予定表へのデータ入力或はデータ検索・確認のために端末３０から受信したデータからＧＰＳの位置データ又は無線通信システムの場所データを取得すれば、データベース１４ｘと比較し、現在位置が異なっていればデータベース１４ｂを補正して、現在情報配信を端末３０へ行う（Ｓ４３）。
【００５１】
以上の各ステップをその時点の状態に対応して繰返す（Ｓ４４）。
【００５２】
図５、図６は個人予定表へのデータ入力或は予定表からデータを呼び出す場合の実施例を示したものである。
【００５３】
図５の５０は個人予定表データベース１４ｘに記録する個人予定表を示し、端末３０の新規予定入力５１を予定表５０へ入力する場合を示す。この場合、目的地検索５２のメニュー画面が端末３０へ表示され、その中から▲１▼ピンポイント検索５３、▲２▼ジャンル検索５４、▲３▼組み合わせ検索５５を選択できる。
【００５４】
なお、そのサブメニュー画面から図５に示すように選択し、そこが検索された情報提供企業４０から報償ポイントを取得することができる。ピンポイント検索５３の登録ポイントはその合計を示している。
【００５５】
その選択結果により指定した場所・地区の地図情報図面５６を表示させ、目的地Ａ社までの途中の路線５７の経路ルートを表示させ、地下鉄、バス路行毎の所要時間、経費を表示させ、確認してから個人予定表データベース１４ｘにインターネットを介して記録することができる。
【００５６】
図６の６０は個人予定表データベース１４ｘから個人予定表を呼出し、データ検索・確認を行う場合を示し、予定表６０から既に書込んである予定６１を端末３０に表示した場合を示す。この端末３０の表示部下側に（出発地）６１ａ、（経路）６１ｂ、（目的地）６１ｃの選択メニューが表示されている。
【００５７】
６１ａ，６１ｂ，６１ｃを選択すれば、それぞれ「出発先から最寄駅までのルート」６２、「途中の路線経路」６３、「最寄駅から目的地までの経路」６４を表示させることができる。さらに、それらの交信の間に「場所・経路・目的に応じた情報」６５を端末３０へ提供する。例えば、図６に示すように○○屋のコマーシャル、ＴＥＬナンバー、地図・住所（６５ａ）、○○路線事故の通報（６５ｂ）、それらの地図図面表示（６５ｃ）などである。
【００５８】
以上の情報によって、予定表６０を端末３０から修正することもできる。
尚、本実施の形態の説明で経路探索・住所検索ソフト、地図情報について外部の各種情報提供企業４０とリンクさせる形態を説明したが業務サービスコンピュータ１０にデータベースを備え直接サービスする形態を取ることもできる。
【００５９】
【発明の効果】
本発明の個人予定表連動の情報配信サービスシステムは以下に示す効果を奏する。
【００６０】
インターネットを介した従来の個人情報管理支援システムに記録された個人予定表記録を利用して行動予定、時刻、場所を判断し、利用者会員に適切な情報配信サービスを行うシステムなので、利用者にとっては、必要な情報を取得する確率が高くなり、また情報提供企業側にとっても効率のよいサービスとなる効果がある。
【００６１】
さらに、ＧＰＳを使用するクライアント端末或は携帯電話など無線ネットワークを経由するクライアント端末からアクセスする信号から位置或は場所情報を取得して、さらに個人予定表を補正し、より適切な情報を配信することができる。
【図面の簡単な説明】
【図１】本発明の個人予定表連動の情報配信サービスシステムの構成図である。
【図２】本発明の情報配信サービスシステムの業務サービスコンピュータの構成図である。
【図３】本発明の情報配信サービスシステムの動作の流れ図である。
【図４】本発明の情報配信サービスシステムの動作の流れ図である。
【図５】本発明の個人予定表へのデータ入力実施例説明図である。
【図６】本発明の個人予定表からのデータ検索・確認実施例説明図である。
【符号の説明】
１０    情報配信サービス事業者の業務サービスコンピュータ
１１    ファイアウォール
１２    ＬＡＮ
１３    Ｗｅｂサーバ
１３ａ  契約登録手段
１３ｂ  予定表登録手段
１３ｃ  予定情報配信手段
１３ｄ  現在情報配信手段
１３ｅ  サポート情報配信手段
１３ｆ  第１の補正手段
１３ｇ  第２の補正手段
１３ｈ  行動類型情報提供手段
１３ｉ  行動類型統計提供手段
１３ｘ  個人情報管理支援応用ソフト
１４    データベース装置
１４ａ  利用会員データベース
１４ｂ  契約会員予定表データベース
１４ｃ  情報配信履歴データベース
１４ｘ  個人予定表データベース
１５    データベースサーバ
１６    業務処理端末
２０    インターネット
３０    利用会員のクライアント端末
３０Ａ  Ｗｅｂブラウザを備えたパソコン
３０Ｂ  インターネット対応携帯電話機
３０Ｃ  ＧＰＳ搭載携帯クライアント端末
３０Ｄ  ＧＰＳ搭載インターネット対応自動車用端末
３０Ｅ  携帯デジタル通信無線端末
３０Ｆ  インターネット対応モバイルゲーム機
４０    情報提供企業のコンピュータ
４０Ａ  地図情報提供企業のコンピュータ
１００    情報配信サービスシステム
【図１】
0004552079.tif 000002
【図２】
0004552079.tif 000003
【図３】
0004552079.tif 000004
【図４】
0004552079.tif 000005
【図５】
0004552079.tif 000006
【図６】
0004552079.tif 000007